(57)【特許請求の範囲】
【請求項１】
異なる大きさのバッテリを装置本体に装着するためのバッテリ装着機構であって、
前記装置本体に固定され前記バッテリと第１方向に当接可能な第１当接部と、
前記第１当接部とともに前記装置本体に対する前記バッテリの前記第１方向への移動を規制するための部材であって、前記第１当接部に対して前記第１方向に直交する第２方向に移動可能に配置された第１支持部材と、
前記第１当接部とともに前記装置本体に対する前記バッテリの前記第１方向への移動を規制するための部材であって、前記第１当接部に対して前記第２方向に移動可能に配置された第２支持部材と、
前記第１支持部材による前記バッテリの規制または前記第２支持部材による前記バッテリの規制を解除するための部材であって、前記第１支持部材および前記第２支持部材を前記第１当接部に対して前記第２方向に駆動可能な解除部材と、
前記第１当接部に対して前記第１支持部材を前記第２方向に移動可能に支持する第１案内部材と、
を備え、
前記第１支持部材は、前記第１案内部材により前記第２方向に移動可能に支持される第１本体部と、前記第１案内部材よりも前記第１当接部側に配置され前記バッテリと当接可能な第１規制部と、を有している、
バッテリ装着機構。
【請求項２】
前記第１支持部材は、前記第２支持部材と前記第１当接部との間に配置されている、
請求項１に記載のバッテリ装着機構。
【請求項３】
前記解除部材は、前記第１当接部に対して前記第１方向に移動可能に配置されている、
請求項１または２に記載のバッテリ装着機構。
【請求項４】
前記解除部材は、ユーザーが操作するための操作部と、前記第１当接部に対する前記操作部の前記第１方向への移動を前記第１支持部材の前記第２方向への移動に変換する第１変換部と、前記第１当接部に対する前記操作部の前記第１方向への移動を前記第２支持部材の前記第２方向への移動に変換する第２変換部と、を有している、
請求項１から３のいずれかに記載のバッテリ装着機構。
【請求項５】
前記第１当接部に対して前記第２支持部材を前記第２方向に移動可能に支持する第２案内部材と、をさらに備え、
前記第２支持部材は、前記第２案内部材により前記第２方向に移動可能に支持される第２本体部と、前記第２案内部材よりも前記第１当接部側に配置され前記バッテリと当接可能な第２規制部と、を有している、
請求項１から４のいずれかに記載のバッテリ装着機構。
【請求項６】
前記バッテリと前記第２方向に当接可能な第２当接部と、
前記第１支持部材を前記第２方向に付勢する部材であって、前記第１支持部材を前記第２当接部に押し付ける第１押圧部材と、
前記第２支持部材を前記第２方向に付勢する部材であって、前記第２支持部材を前記第２当接部に押し付ける第２押圧部材と、をさらに備えた、
請求項１から５のいずれかに記載のバッテリ装着機構。
【発明の詳細な説明】
【技術分野】
【０００１】
技術分野は、異なる大きさのバッテリを装置本体に装着するためのバッテリ装着機構に関する。
【背景技術】
【０００２】
近年、ビデオカメラなどの撮像装置では専用のバッテリが使用される。例えば、ビデオカメラに通常使用される充電式のバッテリは、容量によって大きさが異なるため、実用上、異なる大きさのバッテリを装着できる機構が求められている。また、バッテリの交換を容易に行えるように、業務用ビデオカメラのバッテリ装着機構としては、ビデオカメラの筐体の外側に直接バッテリを装着する構造が採用されている。
この種のバッテリ装着機構としては、例えば特許文献１に記載の機構が提案されている。このバッテリ装着機構は、箱状の本体と、第１支持部材と、第２支持部材と、係止部材と、解除部材と、を備えている。
本体は上部に開閉自在な蓋体を有している。第１支持部材は大きさが異なる２種類の第１バッテリおよび第２バッテリの底を個別に支持する。第２支持部材は、第１バッテリの上面を規制し、第２バッテリの両側面を規制する。係止部材は、本体の内側に設けられており、第１および第２バッテリの上側への動きを規制する。解除部材は、この係止部材による第１および第２バッテリの動きの規制を解除する。
【特許文献１】実開平４−１６８６９号公報
【発明の開示】
【発明が解決しようとする課題】
【０００３】
しかしながら、上記の従来の構成では、第１バッテリを取り外す際には、支持部材および係止部材による規制をともに解除する必要がある。また、第２バッテリを取り外す際には、支持部材および係止部材による規制をともに解除する必要がある。つまり、このバッテリ装着機構では、大きさが異なるバッテリを装着できるが、バッテリの取り外しに手間がかかる。
本発明の課題は、大きさが異なるバッテリを装着でき、かつ、バッテリの取り外しが容易である、バッテリ装着機構を提供することにある。
【課題を解決するための手段】
【０００４】
本発明に係るバッテリ装着機構は、異なる大きさのバッテリを装置本体に装着するための機構であって、第１当接部と、第１支持部材と、第２支持部材と、解除部材と、第１案内部材と、を備えている。第１当接部は、装置本体に固定されており、バッテリと第１方向に当接可能である。第１支持部材は、第１当接部とともに装置本体に対するバッテリの第１方向への移動を規制するための部材であって、第１当接部に対して第１方向に直交する第２方向に移動可能に配置されている。第２支持部材は、第１当接部とともに装置本体に対するバッテリの第１方向への移動を規制するための部材であって、第１当接部に対して第２方向に移動可能に配置されている。解除部材は、第１支持部材によるバッテリの規制または第２支持部材によるバッテリの規制を解除するための部材であって、第１支持部材および第２支持部材を第１当接部に対して第２方向に駆動可能である。第１案内部材は、第１当接部に対して第１支持部材を第２方向に移動可能に支持する。第１支持部材は、第１案内部材により第２方向に移動可能に支持される第１本体部と、第１案内部材よりも第１当接部側に配置されバッテリと当接可能な第１規制部と、を有している。
【０００５】
第１バッテリがバッテリ装着機構を介して装置本体に装着されている場合、第１当接部と第１支持部材とにより装置本体に対する第１バッテリの第１方向への移動が規制される。解除部材を操作することにより、第１支持部材が装置本体に対して第２方向に駆動されるため、第１バッテリの第１支持部材による規制が解除され、バッテリを装置本体から取り外すことができる。
また、第１バッテリとは大きさが異なる第２バッテリがバッテリ装着機構を介して装置本体に装着されている場合は、第１当接部と第２支持部材とにより装置本体に対する第２バッテリの第１方向への移動が規制される。解除部材を操作することにより、第２支持部材が装置本体に対して第２方向に駆動されるため、第２バッテリの第２支持部材による規制が解除され、第２バッテリを装置本体から取り外すことができる。
【発明の効果】
【０００６】
このように、このバッテリ装着機構では、大きさが異なるバッテリを装着することができ、かつ、バッテリの取り外しを解除部材により容易に行うことができる。
【発明を実施するための最良の形態】
【０００７】
＜バッテリ装着機構の概要＞
バッテリ装着機構８は、大きさが異なる２つのバッテリを、ビデオカメラなどの装置に装着できるようにするための機構である。ここでは、バッテリ装着機構８が搭載される装置として業務用のビデオカメラ１００（装置本体の一例）を例に、バッテリ装着機構８の概要について説明する。
図１、図２（Ａ）および（Ｂ）にビデオカメラ１００の斜視図を示す。図１はビデオカメラ１００にバッテリが装着されていない状態を示している。図２（Ａ）は、第１バッテリ２１がビデオカメラ１００に装着されている状態を示しており、図２（Ｂ）は、第１バッテリ２１よりも大きい第２バッテリ２２がビデオカメラ１００に装着されている状態を示している。
【０００８】
なお、図１〜図２（Ｂ）に示すように、本実施の形態では、ビデオカメラ１００に対して直交座標系を設定する。図中のＸ軸方向（第１方向の一例）がビデオカメラ１００の使用状態における前後方向、Ｙ軸方向が左右方向、Ｚ軸方向（第２方向の一例）が上下方向となる。Ｘ軸方向正側が前側、Ｙ軸方向正側がビデオカメラ１００を後方から見た場合のビデオカメラ１００の右側、Ｚ軸方向正側が上側である。
図１〜図２（Ｂ）に示すように、ビデオカメラ１００の後部にはバッテリ装着機構８が搭載されている。具体的には、ビデオカメラ１００の後部には、バッテリが収容される凹部９が設けられており、凹部９の底部にバッテリ装着機構８が配置されている。バッテリが後方に取り出せるように、凹部９は後方（Ｘ軸方向負側）に向かって開いている。
図２（Ａ）および（Ｂ）に示すように、バッテリ装着機構８により、２種類の形状のバッテリをビデオカメラ１００に装着することができる。具体的には、図３（Ａ）に示す第１バッテリ２１と、図３（Ｂ）に示す第２バッテリ２２と、がバッテリ装着機構８に装着可能である。図３（Ａ）および（Ｂ）に示すように、第１バッテリ２１および第２バッテリ２２は異なる種類のバッテリであり、第２バッテリ２２は第１バッテリ２１よりも大きく、より詳細には、ビデオカメラ１００に装着した場合に、第２バッテリ２２が第１バッテリ２１よりもＸ軸方向およびＺ軸方向に長い。
【０００９】
＜バッテリの構成＞
ここで、第１バッテリ２１および第２バッテリ２２の構成について説明する。
第１バッテリ２１および第２バッテリ２２は、例えば充電式のバッテリである。第１バッテリ２１または第２バッテリ２２がベースプレート１の端子接続部１９（後述）と電気的に接触することで、第１バッテリ２１または第２バッテリ２２からビデオカメラ１００の各部に電力が供給される。
図３（Ａ）に示すように、第１バッテリ２１は、端子部２１ａと、第１被係止部２１ｂと、１対の第２被係止部２１ｃと、底面２１ｄと、を有している。端子部２１ａは端子接続部１９と電気的に接触するための接点を有している。第１バッテリ２１がバッテリ装着機構８に装着されている状態では、端子部２１ａは端子接続部１９とＸ軸方向に当接する。端子部２１ａが端子接続部１９に当接することで、第１バッテリ２１がビデオカメラ１００に対してＸ軸方向に位置決めされる。
【００１０】
第１被係止部２１ｂは、バッテリ装着機構８の第１ストッパ４１（後述）とＸ軸方向に当接する部分である。第２被係止部２１ｃは、ベースプレート１の１対の係止部１３（後述）により係止される部分であり、第１バッテリ２１の底面２１ｄの左右両端に１つずつ設けられている。底面２１ｄは、第１バッテリ２１がバッテリ装着機構８に装着された際にベースプレート１のプレート本体１１（後述）と当接する。
図３（Ｂ）に示すように、第２バッテリ２２は、端子部２２ａと、第１被係止部２２ｂと、１対の第２被係止部２２ｃと、底面２２ｄと、を有している。端子部２２ａは端子接続部１９と電気的に接触するための接点を有している。第２バッテリ２２がバッテリ装着機構８に装着されている状態では、端子部２２ａは端子接続部１９とＸ軸方向に当接する。端子部２２ａが端子接続部１９に当接することで、第２バッテリ２２がビデオカメラ１００に対してＸ軸方向に位置決めされる。
【００１１】
第１被係止部２２ｂは、バッテリ装着機構８の第２ストッパ４２（後述）とＸ軸方向に当接する部分である。第２被係止部２２ｃは、ベースプレート１の１対の係止部１３により係止される部分であり、第２バッテリ２２の底面２２ｄの左右両端に１つずつ設けられている。底面２２ｄは、第２バッテリ２２がバッテリ装着機構８に装着された際にベースプレート１のプレート本体１１（後述）と当接する。
＜バッテリ装着機構の構成＞
上記の２種類の第１バッテリ２１および第２バッテリ２２をビデオカメラ１００に装着できるようにするために、バッテリ装着機構８は以下のような構成を有している。図４〜図１２（Ｂ）を用いてバッテリ装着機構８について説明する。
図４および図５はバッテリ装着機構８の分解斜視図である。図４および図５は、バッテリ装着機構８の各部を異なる視点から見たときの図である。図６（Ａ）〜図８はバッテリ装着機構８の断面図である。図６（Ａ）は第１バッテリ２１が装着されている状態を示している。図６（Ａ）および（Ｂ）は異なる位置での断面図である。図７（Ａ）および（Ｂ）は解除ボタン３が押されている状態を示している。図７（Ａ）および（Ｂ）は異なる位置での断面図である。図８は第２バッテリ２２が装着されている状態を示している。図９（Ａ）および（Ｂ）はベースプレート１の斜視図である。図１０（Ａ）および（Ｂ）は第１ストッパ４１の斜視図である。図１１（Ａ）および（Ｂ）は第２ストッパ４２の斜視図である。図１２（Ａ）および（Ｂ）は解除ボタン３の斜視図である。図１３はバッテリ装着機構８の断面図である。
【００１２】
図４および図５に示すように、バッテリ装着機構８は、ベースプレート１と、第１ストッパ４１（第１支持部材の一例）と、第２ストッパ４２（第２支持部材の一例）と、第１スプリング５１（第１押圧部材の一例）と、第２スプリング５２（第２押圧部材の一例）と、解除ボタン３（解除部材の一例）と、支持プレート６と、を備えている。
（１）ベースプレート
ベースプレート１は、ビデオカメラ１００の筐体の一部を構成しており、第１バッテリ２１および第２バッテリ２２を載せる部分である。ベースプレート１はＸ軸方向に平行に配置されている。ベースプレート１の下側（Ｚ軸方向負側）は、ビデオカメラ１００の筐体内部を意味している。
図４〜図９（Ｂ）に示すように、ベースプレート１は、プレート本体１１（第２当接部の一例）と、端子接続部１９（第１当接部の一例）と、１対の係止部１３と、第１案内軸１４ａ（第１案内部材の一例）と、第２案内軸１４ｂ（第２案内部材の一例）と、案内プレート１５と、を有している。なお、図６（Ａ）および（Ｂ）では、端子接続部１９は省略されている。
【００１３】
プレート本体１１は、第１バッテリ２１および第２バッテリ２２をＺ軸方向に支持する部分であり、第１開口１１ａおよび第２開口１１ｂを有している。第１開口１１ａには第１ストッパ４１の第１突出部４１ｂ（後述）が挿入され、第２開口１１ｂには第２ストッパ４２の第２突出部４２ｂ（後述）が挿入される。
端子接続部１９は、第１バッテリ２１の端子部２１ａまたは第２バッテリ２２の端子部２２ａと電気的に接触する部分であり、プレート本体１１の前側（Ｘ軸方向正側）の端部に固定されている。端子接続部１９は第１バッテリ２１または第２バッテリ２２のビデオカメラ１００に対するＸ軸方向正側への移動を規制する。つまり、第１バッテリ２１または第２バッテリ２２は、端子接続部１９によりＸ軸方向に位置決めされている。
係止部１３はプレート本体１１の左右両端に１つずつ設けられている。第１バッテリ２１を装着した際に、係止部１３には第１バッテリ２１の第２被係止部２１ｃが嵌め込まれる。係止部１３により、第１バッテリ２１のベースプレート１に対するＹ軸方向およびＺ軸方向への移動が規制され、第１バッテリ２１がベースプレート１に対してＹ軸方向およびＺ軸方向に位置決めされる。
【００１４】
また、第２バッテリ２２を装着した際に、係止部１３には第２バッテリ２２の第２被係止部２２ｃが嵌め込まれる。係止部１３により、第２バッテリ２２のベースプレート１に対するＹ軸方向およびＺ軸方向への移動が規制され、第２バッテリ２２がベースプレート１に対してＹ軸方向およびＺ軸方向に位置決めされる。
第１案内軸１４ａは、第１ストッパ４１をＺ軸方向に案内する部分であり、プレート本体１１からバッテリと反対側（筐体内部側）に突出している。第２案内軸１４ｂは、第２ストッパ４２をＺ軸方向に案内する部分であり、プレート本体１１からバッテリと反対側（筐体内部側）に突出している。第１案内軸１４ａおよび第２案内軸１４ｂはＸ軸方向に並んで配置されている。
案内プレート１５は、解除ボタン３をＸ軸方向に案内する概ね板状の部分であり、プレート本体１１からバッテリと反対側（筐体内部側）に突出している。
【００１５】
（２）第１ストッパおよび第１スプリング
図４〜図８、図１０（Ａ）および（Ｂ）に示すように、第１ストッパ４１は、第１バッテリ２１のベースプレート１に対する移動を規制するための部品であり、端子接続部１９とＸ軸方向に間隔をあけて配置されている。第１ストッパ４１は第２ストッパ４２（後述）と端子接続部１９との間に配置されている。
第１ストッパ４１は、第１本体部４１ａと、第１突出部４１ｂと、１対の側方部４１ｃと、を有している。第１本体部４１ａは第１案内軸１４ａが挿入される第１孔４１ｄを有している。第１案内軸１４ａが第１孔４１ｄに挿入されているため、第１ストッパ４１はプレート本体１１に対してＺ軸方向にスライド可能である。第１突出部４１ｂは、第１バッテリ２１の第１被係止部２１ｂと当接する部分であり、第１本体部４１ａから突出している。第１突出部４１ｂは第１開口１１ａに挿入されている。
【００１６】
第１突出部４１ｂが第１開口１１ａに挿入されている状態で、第１突出部４１ｂ（より詳細には、第１突出部４１ｂと第１バッテリ２１との接触点）は、第１案内軸１４ａよりも端子接続部１９側に配置されている。
側方部４１ｃは解除ボタン３の第１案内部３２（後述）に案内される部分である。
図４〜図８に示すように、第１スプリング５１は、第１ストッパ４１をＺ軸方向に付勢する部材であって、第１ストッパ４１（より詳細には、第１本体部４１ａ）をベースプレート１側（Ｚ軸方向正側）に押圧している。第１スプリング５１は、第１案内軸１４ａに挿入されており、予め圧縮された状態で第１ストッパ４１と支持プレート６との間に配置されている。
第１ストッパ４１がＺ軸方向正側（上側）に最も移動したときには、第１突出部４１ｂは第１開口１１ａから筐体外部に突出した状態となる。第１ストッパ４１がＺ軸方向負側（下側）に最も移動したときには、第１ストッパ４１が完全に筐体内部に収まる状態となり、第１開口１１ａから第１突出部４１ｂは突出しない。第１ストッパ４１は第１スプリング５１によりベースプレート１側（Ｚ軸方向正側）に押し付けられているため、通常は第１開口１１ａから第１突出部４１ｂが筐体外部に突出している。
【００１７】
（３）第２ストッパおよび第２スプリング
図４〜図８、図１１（Ａ）および（Ｂ）に示すように、第２ストッパ４２は、第２バッテリ２２のベースプレート１に対する移動を規制するための部分であり、第１ストッパ４１に対して端子接続部１９と反対側に配置されている。第２ストッパ４２は、第２本体部４２ａと、第２突出部４２ｂと、１対の軸部４２ｃと、を有している。第２本体部４２ａは第２案内軸１４ｂが挿入される第２孔４２ｄを有している。第２案内軸１４ｂが第２孔４２ｄに挿入されているため、第２ストッパ４２はプレート本体１１に対してＺ軸方向に移動可能である。第２突出部４２ｂは、第２バッテリ２２の第１被係止部２２ｂと当接する部分であり、第２本体部４２ａから突出している。第２突出部４２ｂは第２開口１１ｂに挿入されている。
【００１８】
第２突出部４２ｂが第２開口１１ｂに挿入されている状態で、第２突出部４２ｂ（より詳細には、第２突出部４２ｂと第１バッテリ２１との接触点）は、第２案内軸１４ｂよりも端子接続部１９側に配置されている。
軸部４２ｃは解除ボタン３の第１案内部３２に案内される部分である。
図４〜図８に示すように、第２スプリング５２は、第２ストッパ４２をＺ軸方向に付勢する部材であって、第２ストッパ４２（より詳細には、第２本体部４２ａ）をベースプレート１側（Ｚ軸方向正側）に押圧している。第２スプリング５２は、第２案内軸１４ｂに挿入されており、予め圧縮された状態で第２ストッパ４２と支持プレート６との間に配置されている。
第２ストッパ４２がＺ軸方向正側（上側）に最も移動したときには、第２突出部４２ｂは第２開口１１ｂから筐体外部に突出した状態となる。第２ストッパ４２がＺ軸方向負側（下側）に最も移動したときには、第２ストッパ４２が完全に筐体内部に収まる状態となり、第２開口１１ｂから第２突出部４２ｂは突出しない。第２ストッパ４２は第１スプリング５１によりベースプレート１側（Ｚ軸方向正側）に押し付けられているため、通常は第２開口１１ｂから第２突出部４２ｂが筐体外部に突出している。
【００１９】
第１ストッパ４１および第２ストッパ４２は、それぞれ独立してベースプレート１に対してＺ軸方向に移動可能である。
（３）解除ボタン
解除ボタン３は、第１ストッパ４１による第１バッテリ２１の規制または第２ストッパ４２による第２バッテリ２２の規制を解除するための部材であり、第１バッテリ２１または第２バッテリ２２を取り外す際にユーザーにより操作される。具体的には、解除ボタン３は、操作部３１と、第１案内部３２と、第２案内部３３と、を有している。
操作部３１は、第１ストッパ４１と第１バッテリ２１との係止あるいは第２ストッパ４２と第２バッテリ２２との係止を解除する際に、ユーザーがＸ軸方向にスライド操作する。第１案内部３２はスライド操作時に第１ストッパ４１および第２ストッパ４２に力を伝達する。具体的には、第１案内部３２は、１対の第１傾斜部３２ｃ（第１変換部の一例）と、１対の第２傾斜部３２ａ（第２変換部の一例）と、連結部３２ｂと、１対の水平部３２ｄと、を有している。
【００２０】
第１傾斜部３２ｃは、第１ストッパ４１をＺ軸方向に案内する部分であり、第１ストッパ４１の側方部４１ｃと摺動可能に設けられている。第１傾斜部３２ｃはＺ軸方向に対して傾斜している。第１傾斜部３２ｃにより、解除ボタン３のＸ軸方向の移動が第１ストッパ４１のＺ軸方向の移動に変換される。
第２傾斜部３２ａは、第２ストッパ４２をＺ軸方向に案内する部分であり、第２ストッパ４２の軸部４２ｃと摺動可能に設けられている。第２傾斜部３２ａはＺ軸方向に対して傾斜している。第２傾斜部３２ａのＺ軸方向に対する傾斜角度は、第１傾斜部３２ｃのＺ軸方向に対する傾斜角度と概ね同じである。第２傾斜部３２ａはＺ軸方向に対して傾斜している。第２傾斜部３２ａにより、解除ボタン３のＸ軸方向の移動が第２ストッパ４２のＺ軸方向の移動に変換される。
【００２１】
連結部３２ｂは、１対の第１傾斜部３２ｃと１対の第２傾斜部３２ａとを連結する部分である。水平部３２ｄは、第１傾斜部３２ｃの端部からＸ軸方向に延びている。
解除ボタン３をＸ軸方向正側にスライドさせると、第１傾斜部３２ｃにより第１ストッパ４１がＺ軸方向負側に駆動され、第２ストッパ４２がＺ軸方向負側に移動する。
一方、第１ストッパ４１の側方部４１ｃが第１傾斜部３２ｃおよび水平部３２ｄのＺ軸方向負側に配置されているため、第１突出部４１ｂがＺ軸方向負側に押されても、この力が第２ストッパ４２および解除ボタン３に伝達されない。したがって、第２バッテリ２２がバッテリ装着機構８に装着されている状態では、第２バッテリ２２により第１突出部４１ｂがＺ軸方向負側に押されても、第２ストッパ４２による第２バッテリ２２の規制は解除されない。
【００２２】
また、第２ストッパ４２の軸部４２ｃが第２傾斜部３２ａのＺ軸方向負側に配置されているため、第２突出部４２ｂがＺ軸方向負側に押されても、この力が第１ストッパ４１および解除ボタン３に伝達されない。したがって、第１バッテリ２１がバッテリ装着機構８に装着されている状態で第２突出部４２ｂがＺ軸方向負側に押されても、第１ストッパ４１による第１バッテリ２１の規制は解除されない（図１３参照）。
（５）支持プレート
図４および図５に示すように、支持プレート６は、ベースプレート１の下側（Ｚ軸方向負側）に配置されており、２本のビス７によりベースプレート１に固定されている。ベースプレート１および支持プレート６の間には、第１ストッパ４１、第２ストッパ４２、解除ボタン３、第１スプリング５１および第２スプリング５２が配置されている。
【００２３】
＜バッテリ装着機構の動作＞
図４〜図１２（Ｂ）を用いてバッテリ装着機構８の動作について説明する。
第１バッテリ２１がバッテリ装着機構８に装着される場合、第１バッテリ２１の端子部２１ａが端子接続部１９に接続されるように、第１バッテリ２１が凹部９（図１〜図２（Ｂ）参照）内に挿入され、１対の係止部１３に１対の第２被係止部２１ｃが嵌め込まれる。このとき、第１ストッパ４１が第１スプリング５１によりＺ軸方向正側に付勢されているため、底面２１ｄが第１突出部４１ｂに接触しても、第１スプリング５１が縮まって第１突出部４１ｂがＺ軸方向負側に移動し、係止部１３が第２被係止部２１ｃに嵌め込まれるのが阻害されない。
第１バッテリ２１をＸ軸方向正側に移動させ、端子部２１ａが端子接続部１９とＸ軸方向に当接すると、ベースプレート１に対する第１バッテリ２１のＸ軸方向の位置が決まる。このとき、第１ストッパ４１が第１スプリング５１によりＺ軸方向正側に付勢されているため、ベースプレート１に対して第１ストッパ４１がＺ軸方向正側に移動し、第１バッテリ２１の第１被係止部２１ｂに第１突出部４１ｂが嵌り込む（図６（Ａ）参照）。
【００２４】
これにより、ベースプレート１に対する第１バッテリ２１のＸ軸方向の移動は、端子接続部１９および第１ストッパ４１により規制される。つまり、第１バッテリ２１は、端子接続部１９および第１ストッパ４１により挟持され、Ｘ軸方向にロックされる。また、係止部１３および第２被係止部２１ｃにより、ベースプレート１に対する第１バッテリ２１のＹ軸方向およびＺ軸方向の移動が規制される。
このようにして、第１バッテリ２１がバッテリ装着機構８に装着される。
図１２（Ａ）および（Ｂ）に示すように、解除ボタン３の操作部３１をＸ軸方向正側にスライド操作すると、第１傾斜部３２ｃにより第１ストッパ４１がＺ軸方向負側に押し下げられ、第２傾斜部３２ａにより第２ストッパ４２がＺ軸方向負側に押し下げられる。
第１ストッパ４１がベースプレート１に対してＺ軸方向負側に押し下げられると、第１突出部４１ｂおよび第２突出部４２ｂが筐体内部に入り込み、第１突出部４１ｂが第１被係止部２１ｂと当接しなくなる。これにより、第１バッテリ２１のＸ軸方向の係止が解除され、第１バッテリ２１がＸ軸方向負側に取り出せるようになる。
【００２５】
また、第２バッテリ２２がバッテリ装着機構８に装着される場合、第２バッテリ２２の端子部２２ａが端子接続部１９に接続されるように、第２バッテリ２２が凹部９（図１〜図２（Ｂ）参照）内に挿入され、１対の係止部１３に１対の第２被係止部２２ｃが嵌め込まれる。このとき、第１ストッパ４１が第１スプリング５１により、第２ストッパ４２が第２スプリング５２により、それぞれＺ軸方向正側に付勢されているため、底面２２ｄが第１突出部４１ｂおよび第２突出部４２ｂに接触しても、第２スプリング５２が縮まって第２突出部４２ｂがＺ軸方向負側に移動し、係止部１３が第２被係止部２２ｃに嵌め込まれるのが阻害されない。
第２バッテリ２２をＸ軸方向正側に移動させ、端子部２２ａが端子接続部１９とＸ軸方向に当接すると、ベースプレート１に対する第２バッテリ２２のＸ軸方向の位置が決まる。このとき、第１ストッパ４１は第２バッテリ２２により下側に押し下げられた状態で静止するが、第２ストッパ４２が第２スプリング５２によりＺ軸方向正側に付勢されているため、ベースプレート１に対して第２ストッパ４２がＺ軸方向正側に移動し、第２バッテリ２２の第１被係止部２２ｂに第２突出部４２ｂが嵌り込む（図８参照）。
【００２６】
これにより、ベースプレート１に対する第２バッテリ２２のＸ軸方向の移動は、端子接続部１９および第２ストッパ４２により規制される。つまり、第２バッテリ２２は、端子接続部１９および第２ストッパ４２により挟持され、Ｘ軸方向にロックされる。また、係止部１３および第２被係止部２２ｃにより、ベースプレート１に対する第２バッテリ２２のＹ軸方向およびＺ軸方向の移動が規制される。
このようにして、第２バッテリ２２がバッテリ装着機構８に装着される。
図１２（Ａ）および（Ｂ）に示すように、解除ボタン３の操作部３１をＸ軸方向正側にスライド操作すると、第１傾斜部３２ｃにより第１ストッパ４１がＺ軸方向負側に押し下げられ、第２傾斜部３２ａにより第２ストッパ４２がＺ軸方向負側に押し下げられる。
第２ストッパ４２がベースプレート１に対してＺ軸方向負側に押し下げられると、第１突出部４１ｂおよび第２突出部４２ｂが筐体内部に入り込み、第２突出部４２ｂが第１被係止部２２ｂと当接しなくなる。これにより、第２バッテリ２２のＸ軸方向の係止が解除され、第２バッテリ２２がＸ軸方向負側に取り出せるようになる。
【００２７】
＜バッテリ装着機構の特徴＞
以上に説明したバッテリ装着機構８の特徴を以下にまとめる。
（１）
このバッテリ装着機構８では、第１バッテリ２１がビデオカメラ１００に装着されている場合、端子接続部１９と第１ストッパ４１とによりビデオカメラ１００（より詳細には、ベースプレート１）に対する第１バッテリ２１のＸ軸方向への移動が規制される。解除ボタン３を操作することにより、第１ストッパ４１がビデオカメラ１００に対してＺ軸方向に駆動されるため、第１バッテリ２１の第１ストッパ４１による規制が解除され、第１バッテリ２１をビデオカメラ１００から取り外すことができる。
また、第２バッテリ２２がビデオカメラ１００に装着されている場合は、端子接続部１９と第２ストッパ４２とによりビデオカメラ１００（より詳細には、ベースプレート１）に対する第２バッテリ２２のＸ軸方向への移動が規制される。解除ボタン３を操作することにより、第２ストッパ４２がビデオカメラ１００に対してＺ軸方向に駆動されるため、第２バッテリ２２の第２ストッパ４２による規制が解除され、第２バッテリ２２をビデオカメラ１００から取り外すことができる。
【００２８】
このように、このバッテリ装着機構８では、大きさが異なる第１バッテリ２１および第２バッテリ２２を装着することができ、かつ、第１バッテリ２１および第２バッテリ２２の取り外しを解除ボタン３により容易に行うことができる。
（２）
このバッテリ装着機構８では、解除ボタン３がベースプレート１（例えば、端子接続部１９）に対してＸ軸方向に移動可能に配置されているため、解除ボタン３を操作する方向が水平方向となり、解除ボタン３の操作がしやすい。
（３）
このバッテリ装着機構８では、解除ボタン３が、ユーザーが操作するための操作部３１と、端子接続部１９に対する操作部のＸ軸方向への移動を第１ストッパ４１のＺ軸方向への移動に変換する第１傾斜部３２ｃと、端子接続部１９に対する操作部のＸ軸方向への移動を第２ストッパ４２のＺ軸方向への移動に変換する第２傾斜部３２ａと、を有している。このため、簡素な構成により第１ストッパ４１および第２ストッパ４２の駆動を行うことができる。
【００２９】
（４）
このバッテリ装着機構８では、第１バッテリ２１と当接可能な第１突出部４１ｂが第１案内軸１４ａよりも端子接続部１９側に配置されているため、第１バッテリ２１を取り外す際に第１突出部４１ｂにＺ軸方向の力が作用しても、第１ストッパ４１には圧縮力が作用することになる。このため、第１突出部４１ｂが第１案内軸１４ａよりも端子接続部１９と反対側に配置されている場合（つまり、第１ストッパ４１に引っ張り力が作用する場合）に比べて、第１ストッパ４１の弾性変形（たわみ）を抑制することができ、第１バッテリ２１が脱落しにくくなる。
（５）
このバッテリ装着機構８では、第２バッテリ２２と当接可能な第２突出部４２ｂが第２案内軸１４ｂよりも端子接続部１９側に配置されているため、第２バッテリ２２を取り外す際に第２突出部４２ｂにＺ軸方向の力が作用しても、第２ストッパ４２には圧縮力が作用することになる。このため、第２突出部４２ｂが第２案内軸１４ｂよりも端子接続部１９と反対側に配置されている場合（つまり、第２ストッパ４２に引っ張り力が作用する場合）に比べて、第２ストッパ４２の弾性変形（たわみ）を抑制することができ、第２バッテリ２２が脱落しにくくなる。
【００３０】
（６）
このバッテリ装着機構８では、第１ストッパ４１が第１スプリング５１によりプレート本体１１に押し付けられており、第２ストッパ４２が第２スプリング５２によりプレート本体１１に押し付けられている。このため、第１ストッパ４１および第２ストッパ４２の位置決めを簡素な構成により行うことができる。
＜他の実施形態＞
本発明の実施形態は、前述の実施形態に限られず、本発明の趣旨を逸脱しない範囲で種々の修正および変更が可能である。また、前述の実施形態は、本質的に好ましい例示であって、本発明、その適用物、あるいはその用途の範囲を制限することを意図するものではない。
【００３１】
（Ａ）
本発明に係るバッテリ装着機構は、バッテリが装着されるような機器であれば、ビデオカメラ以外の機器にも適用可能である。また、装着可能なバッテリの形状も２種類に限られず、第１ストッパ４１や第２ストッパ４２のような部材を増やすことで、装着可能なバッテリの種類を増やすことができる。
（Ｂ）
端子接続部１９および端子部２１ａが、ビデオカメラ１００およびバッテリの電気的な接続端子の機能と、Ｘ軸方向のバッテリの位置決め機能と、を有しているが、Ｘ軸方向のバッテリの位置決めが他の部材（例えば、第３の係止部および第３の被係止部）により行われてもよい。
【００３２】
（Ｃ）
係止部１３によりベースプレート１に対する第１バッテリ２１および第２バッテリ２２のＹ軸方向およびＺ軸方向の移動が規制されているが、第１ストッパ４１および第２ストッパ４２によりベースプレート１に対する第１バッテリ２１および第２バッテリ２２のＹ軸方向あるいはＺ軸方向の移動が規制されていてもよい。
（Ｄ）
バッテリ装着機構８は蓋を有していないが、バッテリを保護するために蓋が設けられていてもよい。
（Ｅ）
バッテリ装着機構８は、機器に対してどのような位置あるいは向きに設けられていてもよい。例えば、バッテリ装着機構８がビデオカメラ１００の側面に設けられていてもよいし、バッテリの取り外し方向がＸ軸方向負側ではなくＹ軸方向やＺ軸方向であってもよい。
【産業上の利用可能性】
【００３３】
以上に説明したバッテリ装着機構は、機器の筐体の外側に直接バッテリを装着する構造をとる業務用ビデオカメラ等に有用である。
【図面の簡単な説明】
【００３４】
【図１】ビデオカメラの概略斜視図（バッテリなし）
【図２】（Ａ）ビデオカメラの概略斜視図（第１バッテリあり）、（Ｂ）ビデオカメラの概略斜視図（第２バッテリあり）
【図３】（Ａ）第１バッテリの概略斜視図、（Ｂ）第２バッテリの概略斜視図
【図４】バッテリ装着機構の分解斜視図
【図５】バッテリ装着機構の分解斜視図
【図６】（Ａ）および（Ｂ）バッテリ装着機構の断面図（図６（Ａ）は第１バッテリ装着時）
【図７】（Ａ）および（Ｂ）バッテリ装着機構の断面図（取り外し時）
【図８】バッテリ装着機構の断面図（第２バッテリ装着時）
【図９】（Ａ）および（Ｂ）ベースプレートの斜視図
【図１０】（Ａ）および（Ｂ）の第１ストッパの斜視図
【図１１】（Ａ）および（Ｂ）の第２ストッパの斜視図
【図１２】（Ａ）および（Ｂ）解除ボタンの斜視図
【図１３】バッテリ装着機構の断面図
【符号の説明】
【００３５】
１  ベースプレート
１１  プレート本体（第２当接部の一例）
１４ａ  第１案内軸（第１案内部材の一例）
１４ｂ  第２案内軸（第２案内部材の一例）
１９  端子接続部（第１当接部の一例）
２１  第１バッテリ（バッテリの一例）
２２  第２バッテリ（バッテリの一例）
３  解除ボタン（解除部材の一例）
３１  操作部
３２  第１案内部
３２ａ  第２傾斜部（第２変換部の一例）
３２ｃ  第１傾斜部（第１変換部の一例）
３３  第２案内部
４１  第１ストッパ（第１支持部材の一例）
４１ａ  第１本体部
４１ｂ  第１突出部（第１規制部の一例）
４２  第２ストッパ（第２支持部材の一例）
４２ａ  第２本体部
４２ｂ  第２突出部（第２規制部の一例）
５１  第１スプリング（第１押圧部材の一例）
５２  第２スプリング（第２押圧部材の一例）
６  支持プレート
１００  ビデオカメラ
【図１】
0005373440.tif 000002
【図２】
0005373440.tif 000003
【図３】
0005373440.tif 000004
【図４】
0005373440.tif 000005
【図５】
0005373440.tif 000006
【図６】
0005373440.tif 000007
【図７】
0005373440.tif 000008
【図８】
0005373440.tif 000009
【図９】
0005373440.tif 000010
【図１０】
0005373440.tif 000011
【図１１】
0005373440.tif 000012
【図１２】
0005373440.tif 000013
【図１３】
0005373440.tif 000014